(57)【要約】【課題】紙葉類に付着している磁性体付着物が磁気センサに付着する事態を防ぐことができる紙葉類識別装置を提供する。【解決手段】紙葉類検知センサ（磁気センサ）の上流で搬送路Ｒを通過する紙葉類Ｗに付着した磁性体付着物Ｆを除去する付着物除去手段（当接部材９）を備える。このため、紙葉類Ｗが紙葉類検知センサに至る以前に予め付着物Ｆが除去されるため、この付着物Ｆが着磁体を設けた部位の搬送路Ｒの壁面に付着する事態を防ぐことができる。【選択図】        図３
2008003677.tif 000002
【特許請求の範囲】
【請求項１】
磁性体を有した紙葉類を搬送する搬送路と、
前記搬送路に設けてあって、紙葉類の磁性体に磁界を印加する着磁手段、および着磁手段の磁界の印加によって紙葉類の磁性体が帯びる残留磁気を検出する磁気検出手段からなる磁気センサと
を有する紙葉類識別装置において、
磁気センサの上流で搬送路を通過する紙葉類に付着した磁性体付着物を除去する付着物除去手段を備えたことを特徴とする紙葉類識別装置。
【請求項２】
前記付着物除去手段は、紙葉類に接触可能に設けた当接部材からなることを特徴とする請求項１に記載の紙葉類識別装置。
【請求項３】
上方に搬送方向を向けた搬送路の上流部に付着物除去手段を配置し、搬送路の下流部に磁気センサを配置したことを特徴とする請求項１または２に記載の紙葉類識別装置。
【請求項４】
搬送路の上流部の下方の位置に付着物除去手段によって除去された付着物を受容する付着物収容部を設けたことを特徴とする請求項３に記載の紙葉類識別装置。
【請求項５】
前記付着物除去手段は、搬送路側に磁極面を向けて配置した磁石からなることを特徴とする請求項１に記載の紙葉類識別装置。
【請求項６】
磁性体を有した紙葉類を搬送する搬送路と、
前記搬送路に設けてあって、紙葉類の磁性体に磁界を印加する着磁手段、および着磁手段の磁界の印加によって紙葉類の磁性体が帯びる残留磁気を検出する磁気検出手段からなる磁気センサと
を有する紙葉類識別装置において、
周方向に沿って当接部材を有し、当該当接部材を搬送路内にて磁気センサの着磁部位に絶えず接触させる態様で回転可能に設けた回転体と、
搬送路に紙葉類を搬送させる搬送手段に対して前記回転体を同期して回転させる駆動伝達手段と
を備えたことを特徴とする紙葉類識別装置。
【請求項７】
当接部材が搬送路の外部に逸脱する態様で前記回転体を配置して、当該搬送路の外部の位置で当接部材に接触する磁石を設けたことを特徴とする請求項６に記載の紙葉類識別装置。
【発明の詳細な説明】
【技術分野】
【０００１】
本発明は、着磁した紙葉類の残留磁気を検出して当該紙葉類の識別を行う紙葉類識別装置に関する。
【背景技術】
【０００２】
例えば、紙幣や有価証券や商品券や磁気カードなどの紙葉類の真贋を判定する場合には、磁性体を含有してなる印刷インクによって紙葉類に印刷された文字や図形や記号などの磁気印刷部を磁気的に検出した信号と、本物の紙葉類から予め検出した信号とを比較して真偽判定を行っている。
【０００３】
一般に、紙葉類の真贋判定を非接触で行う紙葉類識別装置の磁気センサは、紙葉類を搬送するための搬送路に設置してある。この磁気センサは、磁気検出素子として、外部磁界の変化によって抵抗値が変化する磁気抵抗素子、外部磁界の変化によってインピーダンスが変化する磁気インピーダンス素子、あるいは薄膜スラックスゲート素子などを有している。
【０００４】
このうち、磁気抵抗素子を用いた紙葉類識別装置の磁気センサは、磁気抵抗素子が、セラミック基板の表面に形成してある。基板の裏側には、磁石（着磁体）が設けてある。この磁石は、磁気抵抗素子の垂直方向に補助磁界を加えている。そして、磁石によって磁気抵抗素子に磁界を印加することにより、紙葉類の磁気印刷部の微弱な磁気を検出する（例えば、特許文献１参照）。
【０００５】
また、磁気インピーダンス素子を用いた紙葉類識別装置の磁気センサは、Ｅ字形の着磁体が、その開放された側の３箇所の端部を紙葉類の相対移動方向に垂直に並ぶように、かつ紙葉類の面に対して垂直に接触または近接するように配置してある。また、磁気インピーダンス素子が、紙葉類の磁気印刷部の面に平行な面内で、上記相対移動方向に垂直な方向に感磁方向が一致するように配置してある。さらに、磁気インピーダンス素子の近傍には、当該磁気インピーダンス素子にバイアス磁界を加えて磁気インピーダンス素子を感度の良い動作点に設定するためのバイアス磁石が設置してある。そして、紙葉類の磁気印刷部の検知時に、紙葉類の移動に伴って着磁体によって磁気印刷部を着磁して、その着磁した部分の残留磁界を磁気インピーダンス素子によって検出する（例えば、特許文献２参照）。
【０００６】
また、薄膜フラックスゲート素子を用いた紙葉類識別装置の磁気センサは、磁気インピーダンス素子を用いた紙葉類識別装置の場合と同構成によって磁気センサを構成することで、紙葉類の磁気印刷部を検出する。
【０００７】
【特許文献１】特開２００３−３５７０１号公報
【特許文献２】特開２０００−１０５８４７号公報
【発明の開示】
【発明が解決しようとする課題】
【０００８】
このように、磁気センサは、いずれの磁気検出素子を用いた場合でも磁石と磁気検出素子とで構成される。そして、紙葉類に印刷した磁気印刷部の印刷インクに含まれる磁性体の磁気量は、非常に微量である。このため、この磁性体の磁気を感度良く検出するには、磁石の磁力を大きくする必要がある。よって磁石には、体積効率の良い磁石が用いられる。例えば、特許文献１に参照する磁気センサでの磁石は１５０ガウス〜３００ガウス程度、特許文献２に参照する磁気センサでの磁石は１Ｋガウス程度の磁力を有する。
【０００９】
しかし、上述したように磁石を用いた磁気センサは、実際の使用環境下では、磁石の強力な磁力によって、紙葉類の面に付着している砂鉄や鉄粉などの磁性体付着物を吸引してしまう。磁石の磁極面に大量の磁性体付着物が吸引されて付着した場合、磁石の発生磁界が乱れて磁気センサでの誤検出を生じたり、搬送路が塞がれて紙葉類の搬送を阻害することで詰まりが発生したりすることになる。
【００１０】
そこで、一定の期間ごとに紙葉類識別装置の保守点検を行い、磁石の磁極面に吸引され付着した磁性体付着物を除去する清掃作業が必要になる。一般での清掃作業は、磁気センサを設けた識別部のカバーを開き、水または中性洗剤などを染み込ませた綿棒などで清掃を行う。ところが、磁石の磁極面に吸引された磁性体付着物は、磁石の強力な磁力によって常に吸引されているため、当該付着物を完全に除去するには多くの労力と時間が必要になる。
【００１１】
本発明は、上記実情に鑑みて、紙葉類に付着している磁性体付着物が磁気センサに付着する事態を防ぐことができる紙葉類識別装置を提供することを目的とする。また、磁気センサの着磁体によって吸引された磁性体付着物を取り除くことができる紙葉類識別装置を提供することを目的とする。
【課題を解決するための手段】
【００１２】
上記目的を解決するために、本発明の請求項１に係る紙葉類識別装置は、磁性体を有した紙葉類を搬送する搬送路と、前記搬送路に設けてあって、紙葉類の磁性体に磁界を印加する着磁手段、および着磁手段の磁界の印加によって紙葉類の磁性体が帯びる残留磁気を検出する磁気検出手段からなる磁気センサとを有する紙葉類識別装置において、磁気センサの上流で搬送路を通過する紙葉類に付着した磁性体付着物を除去する付着物除去手段を備えたことを特徴とする。
【００１３】
また、本発明の請求項２に係る紙葉類識別装置は、上記請求項１において、前記付着物除去手段は、紙葉類に接触可能に設けた当接部材からなることを特徴とする。
【００１４】
また、本発明の請求項３に係る紙葉類識別装置は、上記請求項１または２において、上方に搬送方向を向けた搬送路の上流部に付着物除去手段を配置し、搬送路の下流部に磁気センサを配置したことを特徴とする。
【００１５】
また、本発明の請求項４に係る紙葉類識別装置は、上記請求項３において、搬送路の上流部の下方の位置に付着物除去手段によって除去された付着物を受容する付着物収容部を設けたことを特徴とする。
【００１６】
また、本発明の請求項５に係る紙葉類識別装置は、上記請求項１において、前記付着物除去手段は、搬送路側に磁極面を向けて配置した磁石からなることを特徴とする。
【００１７】
また、本発明の請求項６に係る紙葉類識別装置は、磁性体を有した紙葉類を搬送する搬送路と、前記搬送路に設けてあって、紙葉類の磁性体に磁界を印加する着磁手段、および着磁手段の磁界の印加によって紙葉類の磁性体が帯びる残留磁気を検出する磁気検出手段からなる磁気センサとを有する紙葉類識別装置において、周方向に沿って当接部材を有し、当該当接部材を搬送路内にて磁気センサの着磁部位に絶えず接触させる態様で回転可能に設けた回転体と、搬送路に紙葉類を搬送させる搬送手段に対して前記回転体を同期して回転させる駆動伝達手段とを備えたことを特徴とする。
【００１８】
また、本発明の請求項７に係る紙葉類識別装置は、上記請求項６において、当接部材が搬送路の外部に逸脱する態様で前記回転体を配置して、当該搬送路の外部の位置で当接部材に接触する磁石を設けたことを特徴とする。
【発明の効果】
【００１９】
本発明の紙葉類識別装置によれば、付着物除去手段によって紙葉類が磁気センサに至る以前に紙葉類に付着している予め付着物を除去する。この結果、付着物が磁気センサに付着する事態を防ぐことができる。
【００２０】
また、本発明の紙葉類識別装置によれば、搬送手段と同期して回転する回転体に設けた当接部材が、磁気センサの着磁部位に接触するため、着磁部位に吸引されている付着物を払い取る。この結果、付着物が磁気センサの着磁部位に付着する事態を防ぐことができる。
【発明を実施するための最良の形態】
【００２１】
以下に添付図面を参照して、本発明に係る紙葉類識別装置の好適な実施の形態について詳細に説明する。
【００２２】
＜実施の形態１＞
図１は本発明に係る紙葉類識別装置を模式的に示した概略図である。ここで例示する紙葉類識別装置１は、磁性体を含有してなる印刷インクによって紙葉類Ｗに印刷された文字や図形や記号（以下、適宜これらを単に「磁気印刷部」と称する）の磁気特性を検知し、かかる検知結果に基づいて紙葉類Ｗの真贋を判定するもので、紙葉類Ｗを搬送する搬送路Ｒの近傍に配設してある。この紙葉類識別装置１は、進入センサ２、紙葉類検知センサ（磁気センサ）３、進入検出部４、磁気検出部駆動部５、磁気検出回路６および信号処理回路７を備えている。
【００２３】
進入センサ２は、搬送路Ｒの上流側であって搬送路Ｒの一側壁（図１中での上側壁）に配設してある。この進入センサ２は、例えば反射型フォトインタラブタのような光センサなどであり、進入する紙葉類Ｗを非接触で検知するものである。
【００２４】
紙葉類検知センサ３は、搬送路Ｒにおける進入センサ２の下流側であって搬送路Ｒの一側壁（図１中での上側壁）に配設してある。この紙葉類検知センサ３は、着磁体（着磁手段）３１及び磁気検出部（磁気検出手段）３２を備えており、搬送路Ｒを搬送される紙葉類Ｗに印刷された磁気印刷部の磁気量を検知するものである。
【００２５】
紙葉類検知センサ３は、着磁体３１および磁気検出部３２がケース３３の内部に収納されて一体的に構成してある。着磁体３１は、例えば３つの四角柱状の永久磁石を、紙葉類Ｗの搬送方向Ｓに対して直交する方向に沿って所定の間隔で並列させて立設させることにより構成したものである。ここに、永久磁石としては、例えばサマリウム・コバルト磁石やネオジム磁石などの磁気特性に優れた希土類磁石が用いられており、紙葉類Ｗの磁性体が有する保磁力以上の磁界強度を有するものである。着磁体３１を構成する中央位置の永久磁石は、搬送路Ｒに向く検知側の磁極面がＳ極であり、その反対側がＮ極となる態様で立設してある。この中央位置の永久磁石の両側に配設された永久磁石は、ともに検知側の磁極面がＮ極であり、その反対側がＳ極となる態様で立設してある。これにより、着磁体３１は、両側の永久磁石の検知側であるＮ極から中央位置の永久磁石の検知側であるＳ極に向かう磁界を搬送路Ｒに通過する紙葉類Ｗの磁気印刷部に印加させる。
【００２６】
磁気検出部３２は、搬送路Ｒにおける着磁体３１の下流側に設けてある。この磁気検出部３２は、例えば磁気インピーダンス素子や薄膜フラックスゲート型磁気検出素子により構成してある。このような磁気検出部３２は、磁気検出部駆動部５から出力された指令信号に基づき通電状態となって駆動するものであり、着磁体３１による印加により紙葉類Ｗの磁性印刷部が帯びる残留磁気によって生ずる磁界を検出するものである。また、磁気検出部３２の周囲には、磁気シールド部材（図示せず）が設けてある。磁気シールド部材は、例えばパーマロイ、アモルファスなどから形成されるものであり、着磁体３１からの磁界波及を抑制するためのものである。
【００２７】
ケース３３は、着磁体３１および磁気検出部３２などを収容する筐体である。ケース３３は、磁界を透過し、かつ非磁性体である樹脂などの材料からなる。
【００２８】
進入検出部４は、進入センサ２に接続してあり、該進入センサ２が紙葉類Ｗの進入を検知して出力した信号に基づき、紙葉類Ｗの進入を検出するものである。
【００２９】
磁気検出部駆動部５は、進入検出部４および磁気検出部３２のそれぞれに接続してあり、進入検出部４が紙葉類Ｗの進入を検出して出力した信号に基づき、磁気検出部３２に駆動する旨の指令信号を出力するものである。
【００３０】
信号処理回路７は、磁気検出回路６を通じて磁気検出部３２に接続してあり、磁気検出部３２が磁界を検出して出力した検出信号に基づき、予め記憶してある基準値と比較して所定の許容範囲内にあるか否かを判定して紙葉類Ｗの真贋を判定するものである。
【００３１】
図２は上述した紙葉類識別装置１の搬送系を示す概略側断面図である。図２に示すように搬送路Ｒは、紙葉類識別装置１の前方に向けて開口する投入口Ｒ１を有している。紙葉類Ｗは、この投入口Ｒ１から投入される。また、搬送路Ｒは、投入口Ｒ１から後方に向かいつつ、そこから上方に搬送方向Ｓを向けた上流部Ｒ２を有している。さらに、搬送路Ｒは、上流部Ｒ２の上端から折り返して下方に搬送方向Ｓを向けた下流部Ｒ３を有している。そして、下流部Ｒ３の下端には、搬送路Ｒに搬送した紙葉類Ｗを収納するための収納庫Ｒ４が設けてある。このような搬送路Ｒにおいて、上流部Ｒ２と下流部Ｒ３との間の折り返し部と、収納庫Ｒ４手前の下流部Ｒ３の下端部とには、搬送手段を構成する搬送ローラＲ５，Ｒ６が設けてある。上流部Ｒ２と下流部Ｒ３との間の折り返し部に設けた搬送ローラＲ５は、上流部Ｒ２および下流部Ｒ３に外周面を表出してあり、この表出部分が搬送手段を構成する各従動ローラＲ７，Ｒ８に当接している。また、収納庫Ｒ４手前の下流部Ｒ３の下端部に設けた搬送ローラＲ６は、下流部Ｒ３に外周面を表出してあり、この表出部分が搬送手段を構成する従動ローラＲ９に当接している。搬送ローラＲ５，Ｒ６は、駆動モータなどの図示しない駆動源によって連動して回転駆動される。搬送ローラＲ５，Ｒ６が回転駆動されると、これに伴って従動ローラＲ７，Ｒ８，Ｒ９が従動する。
【００３２】
上記搬送系において、進入センサ２は、投入口Ｒ１から搬送ローラＲ５と従動ローラＲ７とが当接する部位までの間の上流部Ｒ２に設けてある。また、搬送系において、紙葉類検知センサ３は、搬送ローラＲ５と従動ローラＲ８とが当接する部位から搬送ローラＲ６と従動ローラＲ９とが当接する部位までの間の下流部Ｒ３に設けてある。
【００３３】
また、上記搬送系の上流部Ｒ２における上方の位置には、搬送ローラＲ５と従動ローラＲ７とが当接する部位の下流の直近には、付着物除去手段としての当接部材９が設けてある。当接部材９は、ナイロン（Ｒ）などの合成樹脂材からなる繊維や、獣毛などを束ね集めて図３に示すように刷毛状に形成もの、あるいは不織布などからなる。この当接部材９は、搬送路Ｒの両内壁から紙葉類Ｗの厚さ方向に対向して延在し、搬送路Ｒに搬送された紙葉類Ｗの表裏面に接触でき、かつ紙葉類Ｗを通過させるように間隔をおいて設けてある。なお、当接部材９は、紙葉類Ｗの搬送負荷にならず、かつ紙葉類Ｗに適宜接触できるように弾性を有し、かつ磁化が生じない樹脂などの非磁性体材料からなることが好ましい。さらに、上記搬送系の上流部Ｒ２における下方の位置には、搬送路Ｒに連通する付着物収容部１０が設けてある。
【００３４】
このような搬送系では、投入口Ｒ１から投入された紙葉類Ｗは、上流部Ｒ２において、正転（図２中反時計回り）方向に回転駆動された搬送ローラＲ５と、これに当接する従動ローラＲ７とで挟まれつつ搬送方向Ｓ（上方）に向けて搬送される。そして、紙葉類Ｗは、下流部Ｒ３の上端部において、図２中反時計回りに回転駆動された搬送ローラＲ５と、これに当接する従動ローラＲ８とに挟まれつつ搬送方向Ｓ（下方）に向けて搬送される。さらに、紙葉類Ｗは、下流部Ｒ３の下端部において、図２中反時計回りに回転駆動された搬送ローラＲ６と、これに当接する従動ローラＲ９とに挟まれつつ収納庫Ｒ４に搬送される。なお、搬送ローラＲ５，Ｒ６は、逆転（図２中時計回り）方向にも回転駆動される。例えば紙葉類Ｗが贋物であった場合など、搬送ローラＲ５，Ｒ６が逆転方向に回転駆動されて、投入口Ｒ１から搬出される。
【００３５】
上記紙葉類識別装置１は、次のようにして搬送される紙葉類Ｗの真贋を判定する。
【００３６】
搬送手段により搬送される紙葉類Ｗが搬送路Ｒの投入口Ｒ１から投入されると、進入センサ２が検知してその旨を信号として進入検出部４に出力され、進入したことが検出される。そして、進入検出部４から磁気検出部駆動部５に紙葉類Ｗが進入した旨の信号が出力されると、磁気検出部駆動部５から紙葉類検知センサ３の磁気検出部３２に駆動指令が出力され、磁気検出部３２が通電状態になって駆動する。さらに、搬送手段の搬送ローラＲ５，Ｒ６が正転方向に回転駆動する。
【００３７】
搬送路Ｒに進入した下流部Ｒ３に至り、紙葉類Ｗが着磁体３１の磁界が及ぶ領域に到達すると、紙葉類検知センサ３は、着磁体３１において両側の永久磁石のＮ極から中央位置の永久磁石のＳ極に向かう磁界をケース３３を透過して印加して、紙葉類Ｗの磁気印刷部を磁化させる。磁気印刷部が磁化された紙葉類Ｗは、そのまま搬送路Ｒを搬送される。
【００３８】
そして、通電状態となった磁気検出部３２が、磁性印刷部が帯びる残留磁気によって生ずる磁界を検出し、その検出結果を検出信号として磁気検出回路６を通じて信号処理回路７に出力し、その後通電状態が解除されて待機状態になる。信号処理回路７では、磁気検出部３２により出力された検出信号に基づき、予め記憶してある基準値と比較して所定の許容範囲内にあるか否かを判定して紙葉類Ｗの真贋を判定する。
【００３９】
このような紙葉類識別装置１では、搬送路Ｒに紙葉類Ｗを搬送している過程で、搬送路Ｒの上流部Ｒ２において、当接部材９が紙葉類Ｗの表裏面に接触する。このため、図４（ａ）および図４（ｂ）に示すように紙葉類Ｗの表裏面に付着している砂鉄や鉄粉などの磁性体付着物（以下、適宜これらを単に「付着物」と称する）Ｆが除去される。この結果、紙葉類Ｗが紙葉類検知センサ３に至る以前に予め付着物Ｆが除去されるため、この付着物Ｆが着磁体３１の着磁部位である搬送路Ｒの壁面に付着する事態を防ぐことが可能になる。よって、着磁体３１により印加された紙葉類Ｗの磁界が大きく変動してしまうことがなく、紙葉類Ｗの残留磁気を良好に検知することができる。
【００４０】
また、当接部材９が弾性を有していれば、図４（ａ）に示すように当接部材９が紙葉類Ｗの搬送方向Ｓに変形した後、図４（ｂ）に示すように元に戻る弾性変形によって付着物Ｆを下方に弾き飛ばすことになる。この結果、当接部材９に残り得る付着物Ｆが少なくなるので、当接部材９の付着物Ｆの除去性能を維持することができる。
【００４１】
また、搬送ローラＲ５と従動ローラＲ７とが当接する部位の下流の直近に当接部材９が設けてあるので、当接部材９の部位を紙葉類Ｗが通過する際の摩擦力が生じても当該摩擦力に抗して紙葉類Ｗの搬送を行うことが可能である。さらに、搬送ローラＲ５と従動ローラＲ７とは、当接部材９摩擦力に抗するため、搬送力が大きくなるように他のローラと比較して大径のローラを用いることが好ましい。
【００４２】
また、当接部材９は、砂鉄や鉄粉など以外に、紙葉類Ｗの表裏面に付着している非磁性体の付着物をも除去することになるので、搬送路Ｒを通過した紙葉類Ｗを清潔に保つことができる。
【００４３】
また、上方に搬送方向Ｓを向けた搬送路Ｒの上流部に当接部材９を配置し、搬送路Ｒの下流部に紙葉類検知センサ３を配置したことにより、除去した付着物Ｆを紙葉類検知センサ３の位置に至らせる事態を防ぐことができる。
【００４４】
また、当接部材９によって除去された付着物は、付着物収容部１０に収容されることになる。この結果、投入口Ｒ１から投入される他の紙葉類Ｗに対して除去した付着物を付着させる事態を防ぐことができる。
【００４５】
また、本実施の形態１では上流部Ｒ２にて紙葉類Ｗに付着した付着物Ｆを取り除いている。このため、下流部Ｒ３の各ローラに付着物Ｆが付着する事態も防ぐことが可能になる。この結果、ローラ表面の汚れによる搬送力の低下によって紙葉類Ｗの詰まりが生じる事態、あるいはローラ表面の汚れによる搬送バランスの低下によって紙葉類Ｗが斜行して紙葉類Ｗの詰まりが生じる事態を防止することになり、信頼性の高い紙葉類識別装置を提供できる。
【００４６】
＜実施の形態２＞
図５は本発明の実施の形態２に係る紙葉類識別装置を示す概略側断面図である。なお、以下に説明する実施の形態２では、上述した実施の形態１と基本構成が同一であって付着物除去手段が異なる。よって、同一部分については、同一の符号を付してその説明を省略する。
【００４７】
ここでの付着物除去手段は、搬送路Ｒ側に磁極面を向けて配置した磁石１１からなる。磁石１１は、永久磁石であり、その磁力が着磁体３１よりも強いものを採用してある。この磁石１１は、搬送路Ｒの上流部Ｒ２であって、本実施の形態２では搬送ローラＲ５と従動ローラＲ７とが当接する部位の上流に配置してあり、搬送路Ｒの外側から搬送路Ｒに壁部に磁極面を密着して配置してある。
【００４８】
このような紙葉類識別装置１では、紙葉類Ｗの真贋を判定する過程にて、図６（ａ）に示すように搬送路Ｒに搬送されている紙葉類Ｗは、搬送路Ｒの上流部Ｒ２において磁石１１を配置した部位を通過する。このため、図６（ｂ）に示すように紙葉類Ｗの表裏面に付着している砂鉄や鉄粉などの磁性体付着物（以下、適宜これらを単に「付着物」と称する）Ｆが磁石１１によって吸引されて除去される。この結果、紙葉類Ｗが紙葉類検知センサ３に至る以前に予め付着物Ｆが除去されるため、この付着物Ｆが着磁体３１を設けた部位の搬送路Ｒの壁面に付着する事態を防ぐことが可能になる。よって、着磁体３１により印加された紙葉類Ｗの磁界が大きく変動してしまうことがなく、紙葉類Ｗの残留磁気を良好に検知することができる。
【００４９】
また、磁石１１は、その磁力が着磁体３１よりも強いものを採用してあるため、着磁体３１によって吸引され得る付着物Ｆを適宜吸引することが可能である。
【００５０】
また、本実施の形態２では投入口Ｒ１の直後であって搬送ローラＲ５と従動ローラＲ７とが当接する部位の上流にて紙葉類Ｗに付着した付着物Ｆを取り除いている。このため、各ローラＲ５，Ｒ６，Ｒ７，Ｒ８，Ｒ９に付着物Ｆが付着する事態も防ぐことが可能になる。この結果、ローラ表面の汚れによる搬送力の低下によって紙葉類Ｗの詰まりが生じる事態、あるいはローラ表面の汚れによる搬送バランスの低下によって紙葉類Ｗが斜行して紙葉類Ｗの詰まりが生じる事態を防止することになり、信頼性の高い紙葉類識別装置を提供できる。
【００５１】
＜実施の形態３＞
図７は本発明の実施の形態３に係る紙葉類識別装置を示す概略側断面図である。なお、以下に説明する実施の形態３では、上述した実施の形態１と基本構成が同一であって付着物除去手段が異なる。よって、同一部分については、同一の符号を付してその説明を省略する。
【００５２】
ここでの付着物除去手段は、主に回転体１２からなる。回転体１２は、円柱形状のローラであって、その外周部に周方向に沿って当接部材１３を有している。当接部材１３は、ナイロン（Ｒ）などの合成樹脂材からなる繊維や、獣毛を回転体１２の外周部から放射方向に延在して設けたもの、あるいは不織布などを回転体１２の外周部に巻き付けて設けたものなどからなる。この回転体１２は、搬送路Ｒを挟んで紙葉類検知センサ３に対向する位置であって、かつ外周部が紙葉類Ｗに接触しないように搬送路Ｒの外部で側方に向けた軸を中心に回転可能に設けてある。また、回転体１２に設けた当接部材１３は、紙葉類検知センサ３における着磁体３１が搬送路Ｒに向く着磁部位（搬送路Ｒの壁面）に接触している。そして、回転体１２が回転すると、当接部材１３が着磁体３１の着磁部位に絶えず接触することになる。なお、当接部材１３は、紙葉類Ｗの搬送負荷にならず、かつ着磁体３１の着磁部位に適宜接触できるように弾性を有し、かつ磁化が生じない樹脂などの非磁性体材料からなることが好ましい。
【００５３】
また、回転体１２は、駆動伝達手段によって搬送手段である搬送ローラＲ５と同期して回転する。駆動伝達手段は、図７に示すように搬送ローラＲ５の軸と回転体１２の軸とに掛け回された無端状ベルト１４からなる。すなわち、搬送ローラＲ５が駆動モータなどの図示しない駆動源によって回転駆動されると、無端状ベルト１４を介して回転体１２が同期して回転する。この駆動伝達手段は、図には明示しないが搬送ローラＲ６の軸と回転体１２の軸とに掛け回された無端状ベルトであってもよい。なお、駆動伝達手段は、上記無端状ベルト１４に限らず、図には明示しないが搬送ローラＲ５（または搬送ローラＲ６）の軸に設けた駆動歯車、回転体１２の軸に設けた従動歯車、および駆動歯車と従動歯車との間で相互に噛み合う中間歯車によって構成してあってもよい。
【００５４】
また、搬送路Ｒの外部であって、回転体１２の紙葉類検知センサ３と相反する側には、磁石１５が設けてある。磁石１５は、永久磁石であり、その磁力が着磁体３１よりも強いものを採用してある。この磁石１５の磁極面には、搬送路Ｒの外部の位置で、搬送路Ｒの外部に逸脱した当接部材１３が接触する。
【００５５】
このような紙葉類識別装置１では、紙葉類Ｗの真贋を判定する過程にて、図８（ａ）に示すように紙葉類検知センサ３は、着磁体３１の磁力によって、搬送路Ｒに搬送される紙葉類Ｗに付着している砂鉄や鉄粉などの磁性体付着物（以下、適宜これらを単に「付着物」と称する）Ｆを吸引してしまう。
【００５６】
そのような場合、上述した紙葉類識別装置１では、紙葉類Ｗが紙葉類検知センサ３の位置を通過した後、図８（ｂ）に示すように搬送手段と同期して回転する回転体１２に設けた当接部材１３が、紙葉類検知センサ３における着磁体３１の着磁部位（搬送路Ｒの壁面）に接触する。このため、図８（ｃ）に示すように回転体１２の回転に伴って移動する当接部材１３によって着磁体３１の着磁部位に吸引されている付着物Ｆを払い取る。この場合、当接部材１３が弾性を有していれば、図８（ｂ）に示すように当接部材１３が変形した後、図８（ｃ）に示すように元に戻る弾性変形によって付着物Ｆを払い取ることになる。この結果、紙葉類検知センサ３における着磁体３１の着磁部位に吸引された直後に付着物Ｆが除去されるため、この付着物Ｆが着磁体３１の着磁部位に付着する事態を防ぐことが可能になる。よって、着磁体３１により印加された紙葉類Ｗの磁界が大きく変動してしまうことがなく、紙葉類Ｗの残留磁気を良好に検知することができる。
【００５７】
さらに、上述した紙葉類識別装置１では、当接部材１３が搬送路Ｒの外部に逸脱する態様で回転体１２を配置してあり、当該搬送路Ｒの外部の位置で当接部材１３に接触する磁石１５を設けてある。このため、図８（ｄ）に示すように当接部材１３に残留している付着物Ｆが磁石１５の磁力によって吸引されて回収されることになる。この結果、当接部材１３に残留した付着物Ｆが回転体１２の回転によって再び着磁体３１の磁力によって吸引されて着磁体３１の着磁部位に付着する事態を防ぐことが可能になる。よって、着磁体３１により印加された紙葉類Ｗの磁界が大きく変動してしまうことがなく、紙葉類Ｗの残留磁気を良好に検知することができる。
【図面の簡単な説明】
【００５８】
【図１】本発明に係る紙葉類識別装置を模式的に示した概略図である。
【図２】本発明の実施の形態１に係る紙葉類識別装置の搬送系を示す概略側断面図である。
【図３】図２に示した当接部材の拡大図である。
【図４】本発明の実施の形態１に係る紙葉類識別装置の作用を示す概略図である。
【図５】本発明の実施の形態２に係る紙葉類識別装置を示す概略側断面図である。
【図６】本発明の実施の形態２に係る紙葉類識別装置の作用を示す概略図である。
【図７】本発明の実施の形態３に係る紙葉類識別装置を示す概略側断面図である。
【図８】本発明の実施の形態３に係る紙葉類識別装置の作用を示す概略図である。
【符号の説明】
【００５９】
１    紙葉類識別装置
２    進入センサ
３    紙葉類検知センサ
３１    着磁体
３２    磁気検出部
３３    ケース
４    進入検出部
５    磁気検出部駆動部
６    磁気検出回路
７    信号処理回路
９    当接部材
１０    付着物収容部
１１    磁石
１２    回転体
１３    当接部材
１４    無端状ベルト
１５    磁石
Ｆ    付着物
Ｒ    搬送路
Ｒ１    投入口
Ｒ２    上流部
Ｒ３    下流部
Ｒ４    収納庫
Ｒ５，Ｒ６    搬送ローラ
Ｒ７，Ｒ８，Ｒ９    従動ローラ
Ｓ    搬送方向
Ｗ    紙葉類
【図１】
2008003677.tif 000003
【図２】
2008003677.tif 000004
【図３】
2008003677.tif 000005
【図４】
2008003677.tif 000006
【図５】
2008003677.tif 000007
【図６】
2008003677.tif 000008
【図７】
2008003677.tif 000009
【図８】
2008003677.tif 000010